【手続補正書】
【提出日】平成29年8月7日(2017.8.7)
【手続補正１】
【補正対象書類名】特許請求の範囲
【補正対象項目名】全文
【補正方法】変更
【補正の内容】
【特許請求の範囲】
【請求項１】
送信の干渉を低減するための方法であって、
ＦＭ受信機がオンにされることを決定することと、
前記ＦＭ受信機が誘導ベースの通信送信機からの干渉を経験するＦＭチャネルに同調されることを決定することと、
前記干渉を引き起こす送信周波数の高調波を前記ＦＭ受信機帯域幅のエッジにシフトするために一時的な周波数シフトのための周波数シフトの量を決定することと、
前記決定された量によって前記誘導ベースの通信送信機の送信周波数を調整することと
を備える、方法。
【請求項２】
前記誘導ベースの通信送信機の磁界は、前記ＦＭ受信機と誘導結合される、請求項１に記載の方法。
【請求項３】
前記ＦＭ受信機が誘導ベースの通信送信機からの干渉を経験するＦＭチャネルに同調されることを決定することは、前記同調されたＦＭチャネルを、感度低下されたＦＭチャネルのリストと比較することを備える、請求項１に記載の方法。
【請求項４】
前記一時的な周波数シフトは、前記ＦＭ受信機との干渉を低減する、請求項１に記載の方法。
【請求項５】
前記同調されたＦＭチャネルが、前記誘導ベースの通信送信機の前記送信周波数の高調波から周波数閾値内にあるとき、前記誘導ベースの通信送信機の前記送信周波数を調整することをさらに備える、請求項１に記載の方法。
【請求項６】
前記誘導ベースの通信送信機は、近距離通信（ＮＦＣ）送信機である、請求項１に記載の方法。
【請求項７】
前記ＮＦＣ送信機の動作は、ＦＭ動作と同時である、請求項６に記載の方法。
【請求項８】
前記一時的な周波数シフトは、指定されたＮＦＣ送信周波数帯域幅内である、請求項６に記載の方法。
【請求項９】
前記ＮＦＣ送信機は、イニシエータとして機能している、請求項６に記載の方法。
【請求項１０】
前記ＮＦＣ送信機は、ポーリング動作を行っている、請求項６に記載の方法。
【請求項１１】
送信の干渉を低減するためのワイヤレスデバイスであって、
ＦＭ受信機がオンにされることを決定するための手段と、
前記ＦＭ受信機が誘導ベースの通信送信機からの干渉を経験するＦＭチャネルに同調されることを決定するための手段と、
前記干渉を引き起こす送信周波数の高調波を前記ＦＭ受信機帯域幅のエッジにシフトするために一時的な周波数シフトのための周波数シフトの量を決定するための手段と、
前記決定された量によって前記誘導ベースの通信送信機の送信周波数を調整するための手段と
を備える、ワイヤレスデバイス。
【請求項１２】
実行されたとき、コンピュータに請求項１から１０のいずれかに記載の方法を行わせる命令を有するコンピュータ読取可能媒体を備える、コンピュータプログラム製品。
【手続補正２】
【補正対象書類名】明細書
【補正対象項目名】００９２
【補正方法】変更
【補正の内容】
【００９２】
[00100]  本願の請求項は、上記に例示されたとおりの構成およびコンポーネントに限定されないことが理解されるべきである。様々な修正、変更、および、バリエーションが、本明細書において説明されたシステム、方法、および装置の配置、オペレーション、および、詳細において、特許請求の範囲から逸脱することなく行われ得る。
以下に本願の出願当初の特許請求の範囲に記載された発明を付記する。
［Ｃ１］
送信の干渉を低減するための方法であって、
ＦＭ受信機がオンにされることを決定することと、
前記ＦＭ受信機が誘導ベースの通信送信機からの干渉を経験するＦＭチャネルに同調されることを決定することと、
一時的な周波数シフトによって前記誘導ベースの通信送信機の送信周波数を調整することと
を備える、方法。
［Ｃ２］
前記方法は、ワイヤレス通信デバイスによって実行される、Ｃ１に記載の方法。
［Ｃ３］
前記誘導ベースの通信送信機の磁界は、前記ＦＭ受信機と誘導結合される、Ｃ１に記載の方法。
［Ｃ４］
前記ＦＭ受信機が誘導ベースの通信送信機からの干渉を経験するＦＭチャネルに同調されることを決定することは、前記同調されたＦＭチャネルを、感度低下されたＦＭチャネルのリストと比較することを備える、Ｃ１に記載の方法。
［Ｃ５］
前記干渉は、前記誘導ベースの通信送信機の前記送信周波数の高調波によって引き起こされる、Ｃ１に記載の方法。
［Ｃ６］
前記一時的な周波数シフトは、前記ＦＭ受信機との干渉を低減する、Ｃ１に記載の方法。
［Ｃ７］
前記同調されたＦＭチャネルが、前記誘導ベースの通信送信機の前記送信周波数の高調波から周波数閾値内にあるとき、前記誘導ベースの通信送信機の前記送信周波数を調整することをさらに備える、Ｃ１に記載の方法。
［Ｃ８］
前記誘導ベースの通信送信機は、近距離通信（ＮＦＣ）送信機である、Ｃ１に記載の方法。
［Ｃ９］
前記ＮＦＣ送信機の動作は、ＦＭ動作と同時である、Ｃ８に記載の方法。
［Ｃ１０］
前記一時的な周波数シフトは、指定されたＮＦＣ送信周波数帯域幅内である、Ｃ８に記載の方法。
［Ｃ１１］
前記ＮＦＣ送信機は、イニシエータとして機能している、Ｃ８に記載の方法。
［Ｃ１２］
前記ＮＦＣ送信機は、ポーリング動作を行っている、Ｃ８に記載の方法。
［Ｃ１３］
送信の干渉を低減するための装置であって、
プロセッサと、
前記プロセッサと電子通信するメモリと、
前記メモリに記憶された命令と
を備え、前記命令は、
ＦＭ受信機がオンにされることを決定することと、
前記ＦＭ受信機が誘導ベースの通信送信機からの干渉を経験するＦＭチャネルに同調されることを決定することと、
一時的な周波数シフトによって前記誘導ベースの通信送信機の送信周波数を調整することと
を行うように前記プロセッサによって実行可能である、装置。
［Ｃ１４］
前記誘導ベースの通信送信機の磁界は、前記ＦＭ受信機と誘導結合される、Ｃ１３に記載の装置。
［Ｃ１５］
前記ＦＭ受信機が誘導ベースの通信送信機からの干渉を経験するＦＭチャネルに同調されることを決定するように実行可能な前記命令は、前記同調されたＦＭチャネルを、感度低下されたＦＭチャネルのリストと比較するように実行可能な命令を備える、Ｃ１３に記載の装置。
［Ｃ１６］
前記干渉は、前記誘導ベースの通信送信機の前記送信周波数の高調波によって引き起こされる、Ｃ１３に記載の装置。
［Ｃ１７］
前記一時的な周波数シフトは、前記ＦＭ受信機との干渉を低減する、Ｃ１３に記載の装置。
［Ｃ１８］
前記同調されたＦＭチャネルが前記誘導ベースの通信送信機の前記送信周波数の高調波から周波数閾値内にあるとき、前記誘導ベースの通信送信機の前記送信周波数を調整するように実行可能な命令をさらに備える、Ｃ１３に記載の装置。
［Ｃ１９］
前記誘導ベースの通信送信機は、近距離通信（ＮＦＣ）送信機である、Ｃ１３に記載の装置。
［Ｃ２０］
送信の干渉を低減するためのワイヤレスデバイスであって、
ＦＭ受信機がオンにされることを決定するための手段と、
前記ＦＭ受信機が誘導ベースの通信送信機からの干渉を経験するＦＭチャネルに同調されることを決定するための手段と、
一時的な周波数シフトによって前記誘導ベースの通信送信機の送信周波数を調整するための手段と
を備える、ワイヤレスデバイス。
［Ｃ２１］
前記ＦＭ受信機が誘導ベースの通信送信機からの干渉を経験するＦＭチャネルに同調されることを決定するための前記手段は、前記同調されたＦＭチャネルを、感度低下されたＦＭチャネルのリストと比較するための手段を備える、Ｃ２０に記載のワイヤレスデバイス。
［Ｃ２２］
前記干渉は、前記誘導ベースの通信送信機の前記送信周波数の高調波によって引き起こされる、Ｃ２０に記載のワイヤレスデバイス。
［Ｃ２３］
前記一時的な周波数シフトは、前記ＦＭ受信機との干渉を低減する、Ｃ２０に記載のワイヤレスデバイス。
［Ｃ２４］
前記同調されたＦＭチャネルが前記誘導ベースの通信送信機の前記送信周波数の高調波から周波数閾値内にあるとき、前記誘導ベースの通信送信機の前記送信周波数を調整するための手段をさらに備える、Ｃ２０に記載のワイヤレスデバイス。
［Ｃ２５］
送信の干渉を低減するためのコンピュータプログラム製品であって、前記コンピュータプログラム製品は、命令を有する非一時的な的コンピュータ読取可能媒体を備え、前記命令は、
ワイヤレス通信デバイスに、ＦＭ受信機がオンにされることを決定させるためのコードと、
前記ワイヤレス通信デバイスに、前記ＦＭ受信機が誘導ベースの通信送信機からの干渉を経験するＦＭチャネルに同調されることを決定させるためのコードと、
前記ワイヤレス通信デバイスに、一時的な周波数シフトによって前記誘導ベースの通信送信機の送信周波数を調整させるためのコードと
を備える、コンピュータプログラム製品。
［Ｃ２６］
前記ワイヤレス通信デバイスに、前記ＦＭ受信機が誘導ベースの通信送信機からの干渉を経験するＦＭチャネルに同調されることを決定させるための前記コードは、前記ワイヤレス通信デバイスに、前記同調されたＦＭチャネルを、感度低下されたＦＭチャネルのリストと比較させるためのコードを備える、Ｃ２５に記載のコンピュータプログラム製品。
［Ｃ２７］
前記干渉は、前記誘導ベースの通信送信機の前記送信周波数の高調波によって引き起こされる、Ｃ２５に記載のコンピュータプログラム製品。
［Ｃ２８］
前記一時的な周波数シフトは、前記ＦＭ受信機との干渉を低減する、Ｃ２５に記載のコンピュータプログラム製品。
［Ｃ２９］
前記同調されたＦＭチャネルが前記誘導ベースの通信送信機の前記送信周波数の高調波から周波数閾値内にあるとき、前記ワイヤレス通信デバイスに、前記誘導ベースの通信送信機の前記送信周波数を調整させるためのコードをさらに備える、Ｃ２５に記載のコンピュータプログラム製品。
［Ｃ３０］
前記誘導ベースの通信送信機は、近距離通信（ＮＦＣ）送信機である、Ｃ２５に記載のコンピュータプログラム製品。